(57)【要約】【課題】ヒト造血器腫瘍細胞を体内に生着させ、ヒト造血器腫瘍の症状を呈し、ヒト造血器腫瘍の治療剤のスクリーニングに用い得るヒト造血器腫瘍細胞モデルマウスおよびそのマウスの利用の提供。【解決手段】ＮＯＧ（ＮＯＤ／Ｓｈｉ−ｓｃｉｄ，  ＩＬ−２Ｒγ  ＫＯ）マウスにヒト造血器腫瘍細胞を移植することを含む、ヒト造血器腫瘍マウスモデルの作出法。【選択図】  なし【特許請求の範囲】
【請求項１】
ＮＯＧ（ＮＯＤ／Ｓｈｉ−ｓｃｉｄ，  ＩＬ−２Ｒγ  ＫＯ）マウスにヒト造血器腫瘍細胞を移植することを含む、ヒト造血器腫瘍マウスモデルの作出法。
【請求項２】
ヒト造血器腫瘍細胞がヒト多発性骨髄腫細胞Ｕ２６６細胞である、請求項１記載のヒト造血器腫瘍マウスモデルの作出法。
【請求項３】
ヒト造血器腫瘍細胞がヒトＴ細胞リンパ腫細胞ＬＭ−２−ＪＣＫである、請求項１記載のヒト造血器腫瘍マウスモデルの作出法。
【請求項４】
ヒト造血器腫瘍細胞が移植され体内にヒト造血腫瘍が形成されたヒト造血器腫瘍ＮＯＧ（ＮＯＤ／Ｓｈｉ−ｓｃｉｄ，  ＩＬ−２Ｒγ  ＫＯ）マウスモデル。
【請求項５】
ヒト造血器腫瘍がヒト多発性骨髄腫である請求項４記載のヒト造血器腫瘍ＮＯＧ（ＮＯＤ／Ｓｈｉ−ｓｃｉｄ，  ＩＬ−２Ｒγ  ＫＯ）マウスモデル。
【請求項６】
ヒト造血器腫瘍がヒトＴ細胞リンパ腫であるヒト造血器腫瘍ＮＯＧ（ＮＯＤ／Ｓｈｉ−ｓｃｉｄ，  ＩＬ−２Ｒγ  ＫＯ）マウスモデル。
【請求項７】
請求項４記載のヒト造血器腫瘍マウスモデルに被験物質を投与することを含む、ヒト造血器腫瘍の治療剤のスクリーニング方法。
【請求項８】
ヒト造血器腫瘍がヒト多発性骨髄腫である請求項７記載のスクリーニング方法。
【請求項９】
ヒト造血器腫瘍がヒトリンパ腫である請求項７記載のスクリーニング方法。
【発明の詳細な説明】
【０００１】
【発明の属する技術分野】
本発明は、ヒト造血器腫瘍の病態モデルマウスの作出に関する。
【０００２】
【従来の技術】
多発性骨髄腫は、形質細胞の悪性腫瘍である。多発性骨髄腫患者の典型的な臨床症状は、貧血、骨折、高カルシウム血症、腎機能障害および繰り返す感染症であり、これらの症状は骨髄における悪性腫瘍細胞の増殖が原因である。多発性骨髄腫の余命を長くするために化学療法または自家骨髄移植が行われる。しかしながら、これらの予後はいまだ良好ではない。多発性骨髄腫の病因は、多発性骨髄腫が不均質なことからいまだ解明されていない。
【０００３】
リンパ腫はリンパ球の異常増殖を伴う造血器腫瘍である。予後の良好なホジキン病と予後不良な非ホジキンリンパ腫に分類される。新しい薬剤の開発に病態を反映する疾患動物モデルが必要とされている。
【０００４】
ヒト多発性骨髄腫およびヒトＴ細胞リンパ腫の病因解明および治療法の開発のためにヒト多発性骨髄腫およびヒトＴ細胞リンパ腫の病態モデルマウスが望まれていた。従来よりヒト骨髄腫細胞を移植したマウスについての報告はあった。しかし、従来の移植法は非常に複雑であった。例えば、Ｐｉｌａｒｓｋｉらはヒト骨髄腫細胞を心腔内に移植した（非特許文献１参照）。また、Ｂらは下大静脈経由で移植するなど煩雑な手技を要した。ＸＸらは、マウス皮下にヒト胎児長管骨を移植し、その骨片内にヒト骨髄腫細胞を移植し、局所的に生着することを報告している。一方、Ｔｓｕｎｅｎａｒｉらは、ヒトＫＰＭＭ２骨髄腫細胞をＳＣＩＤマウスに移植して得た異種移植モデルについて報告しているが（非特許文献２参照）、ＫＰＭＭ２はＳＣＩＤマウス中で固形腫瘍として既に維持されており、ヒト骨髄腫の病態を正確に反映するとはいえない。このように、従来存在していた免疫不全マウスを用いても、病因の解析、治療法の開発に簡便に用いられるヒト疾患モデル動物を作出することはできなかった。
【０００５】
【非特許文献１】
Ｅｘｐ  Ｈａｅｍａｔ，  ３０，  ２２１−２２８，  ２００２；  Ｂｌｏｏｄ，  ９５，  １０５６−１０６５，  ２０００
【非特許文献２】
Ｂｌｏｏｄ，  ９０，  ２４３７−２４４４，  １９９７
【０００６】
【発明が解決しようとする課題】
本発明は、ヒト造血器腫瘍細胞を体内に生着させ、ヒト造血器腫瘍の症状を呈し、ヒト造血器腫瘍の治療剤のスクリーニングに用い得るヒト造血器腫瘍細胞モデルマウスおよびそのマウスの利用を提供することを目的とする。
【０００７】
【課題を解決するための手段】
本発明者らは、先に免疫不全マウスであるＮＯＧマウスを開発していた（国際公開番号ＷＯ０２／４３４７７号）。ＮＯＧ（ＮＯＤ／Ｓｈｉ−ｓｃｉｄ，  ＩＬ−２Ｒγ  ＫＯ）マウスは機能的なＴ細胞およびＢ細胞を共に欠失し、マクロファージ機能が減退し、ＮＫ細胞またはＮＫ活性を消失し、かつ樹状細胞機能が減退しており、優れた異種細胞生着性を有していることを特徴とするマウスである。ＮＯＧマウスはこのような特徴を有しているので、移植したヒト細胞が、排除されることなく効率よく生着し得る。ＮＯＧマウスはＮＯＤ／Ｓｈｉ−ｓｃｉｄマウスやＣ．Ｂ−１７−ｓｃｉｄマウス等の先天的な免疫不全マウスよりも免疫能が低下している。本発明者等はインターロイキン６依存性で増殖速度の遅いヒト骨髄腫細胞株Ｕ２６６、およびＴ細胞リンパ腫ＬＭ−２−ＪＣＫをＮＯＧマウスに移植することによりヒト造血器腫瘍モデルマウスの作出に成功し、本発明を完成させるに至った。
【０００８】
すなわち、本発明は以下の通りである。
（１）  ＮＯＧ（ＮＯＤ／Ｓｈｉ−ｓｃｉｄ，  ＩＬ−２Ｒγ  ＫＯ）マウスにヒト造血器腫瘍細胞を移植することを含む、ヒト造血器腫瘍マウスモデルの作出法、
（２）  ヒト造血器腫瘍細胞がヒト多発性骨髄腫細胞Ｕ２６６細胞である、（１）のヒト造血器腫瘍マウスモデルの作出法、
（３）  ヒト造血器腫瘍細胞がヒトＴ細胞リンパ腫細胞ＬＭ−２−ＪＣＫである、（１）のヒト造血器腫瘍マウスモデルの作出法、
（４）  ヒト造血器腫瘍細胞が移植され体内にヒト造血腫瘍が形成されたヒト造血器腫瘍ＮＯＧ（ＮＯＤ／Ｓｈｉ−ｓｃｉｄ，  ＩＬ−２Ｒγ  ＫＯ）マウスモデル、
（５）  ヒト造血器腫瘍がヒト多発性骨髄腫である（４）のヒト造血器腫瘍ＮＯＧ（ＮＯＤ／Ｓｈｉ−ｓｃｉｄ，  ＩＬ−２Ｒγ  ＫＯ）マウスモデル、
（６）  ヒト造血器腫瘍がヒトＴ細胞リンパ腫であるヒト造血器腫瘍ＮＯＧ（ＮＯＤ／Ｓｈｉ−ｓｃｉｄ，  ＩＬ−２Ｒγ  ＫＯ）マウスモデル、
（７）  （４）のヒト造血器腫瘍マウスモデルに被験物質を投与することを含む、ヒト造血器腫瘍の治療剤のスクリーニング方法、
（８）  ヒト造血器腫瘍がヒト多発性骨髄腫である（７）のスクリーニング方法、および
（９）  ヒト造血器腫瘍がヒトリンパ腫である（７）のスクリーニング方法。
【０００９】
【発明の実施の形態】
以下、本発明を詳細に説明する。
１．ＮＯＧマウスの作出
ＮＯＧマウスの作出は、国際公開番号ＷＯ０２／４３４７７号に記載の方法により以下のように行うことができる。
【００１０】
以下に示すＡのマウスにＢのマウスを戻し交配することによりＮＯＧマウスを作出することが可能である。
Ａ：ＮＯＤ／ＳｈｉマウスにＣ．Ｂ−１７／Ｉｃｒ−ｓｃｉｄ  （Ｃ．Ｂ−１７−ｓｃｉｄまたはＣＢ１７／ＳＣＩＤマウスとも呼ぶ）マウスを戻し交配することにより得られるマウス、
Ｂ：インターロイキン２受容体γ鎖遺伝子をノックアウトしたマウス。
【００１１】
ここで異種細胞としては、ヒトを始めとしてマウス、ラット等の哺乳動物由来の細胞や組織、特にヒトの幹細胞、リンパ球や腫瘍細胞等を挙げることができるが、これらに限定されない。
【００１２】
ＡのマウスにおけるＮＯＤ／ＳｈｉマウスへのＣ．Ｂ−１７／Ｉｃｒ−ｓｃｉｄマウスの戻し交配は、当業者に公知の手法、例えば、Ｃｒｏｓｓ  Ｉｎｔｅｒｃｒｏｓｓ法による戻し交配（Ｉｎｂｒｅｄ  Ｓｔｒａｉｎｓ  ｉｎ  Ｂｉｏｍｅｄｉｃａｌ  Ｒｅｓｅａｒｃｈ，  Ｍ．Ｆ．Ｗ．Ｆｅｓｔｉｎｇ，  １９７９，  ＩＳＢＮ  ０−３３３−２３８０９−５，  ＴｈｅＭａｃｍｉｌｌａｎ  Ｐｒｅｓｓ，  Ｌｏｎｄｏｎ  ａｎｄ  Ｂａｓｉｎｇｓｔｏｋｅ）に従い、Ｃ．Ｂ−１７／Ｉｃｒ−ｓｃｉｄマウスとＮＯＤ／Ｓｈｉマウスとを交配し、そのＦ１マウス同士を更に交配して得たＦ２マウスの血清中の免疫グロブリン量を測定し、検出できないマウスを選別する。このマウスを再びＮＯＤ／Ｓｈｉマウスと交配する。この操作を９回以上繰り返し（Ｃｒｏｓｓ  Ｉｎｔｅｒｃｒｏｓｓ法）行うことによって実施できる。
【００１３】
尚、ＮＯＤ／ＳｈｉマウスおよびＣ．Ｂ−１７／Ｉｃｒ−ｓｃｉｄマウスは共に日本クレア株式会社から販売されている。また、これらのマウスの交配により得られるマウスとしては、例えば、本発明者らが以前に樹立したＮＯＤ−ｓｃｉｄマウス（特開平９−９４０４０号公報）があり、これを日本クレア株式会社から入手して直接Ａのマウスとして用いることもできる。尚、ＮＯＤ／ＳｈｉマウスおよびＮＯＤ−ｓｃｉｄマウスについては、上記以外に本出願人も所持しており、必要に応じていつでも分譲することができる。
【００１４】
また、Ｂのマウスにおけるインターロイキン２受容体γ鎖遺伝子のノックアウトは、当業者に公知の手法、例えば、マウスＥＳ細胞を用いた相同組換えの手法（Ｃａｐｅｃｃｈｉ，  Ｍ．  Ｒ．，  Ａｌｔｅｒｉｎｇ  ｔｈｅ  ｇｅｎｏｍｅ  ｂｙ  ｈｏｍｏｌｏｇｏｕｓ  ｒｅｃｏｍｂｉｎａｔｉｏｎ，  Ｓｃｉｅｎｃｅ，  （１９８９）  ２４４，  １２８８−１２９２）に従い、マウス由来の特定の遺伝子と例えばネオマイシン等の薬剤耐性遺伝子を含む相同遺伝子とをＥＳ細胞の段階で置き換えた後、該ＥＳ細胞を受精卵に注入することにより実施できる。
【００１５】
具体的には、例えば、１２９／ＳＶマウスのゲノムライブラリーからヒトのＩＬ−２ＲγｃＤＮＡをプローブとしてマウスＩＬ−２Ｒγを含む遺伝子クローンを単離し、該クローンのうちＩＬ−２Ｒγ全長を含む８．６ｋｂの大きさの断片を使用してターゲッティングベクターを作製する。すなわち、前記断片のＩＬ２Ｒのエクソン７と８との間にネオマイシン耐性遺伝子を発現するＰＭＣ１−ｎｅｏポリＡを挿入し、またエクソン８から１ｋｂ離れた３’側にジフテリア毒素−Ａ遺伝子を配置する。次いで、前記ベクターを直鎖状にし、Ｅ１４  ＥＳ細胞１×１０７個に電気穿孔法で導入する。その後、Ｇ４１８を含む培養液の中で相同的組換えを起こしたＥＳクローンを選択し（ＰＣＲまたはサザン法で確認）、該ＥＳクローンをＣ５７ＢＬ／６マウスの胚盤胞に注入した後、仮親マウスの子宮に移植する。この仮親マウスから生まれたキメラマウスを更にＣ５７ＢＬ／６マウスと交配することによって、生殖細胞系に伝達したＩＬ２ＲγＫＯヘテロマウスを得ることができる。
【００１６】
あるいは、既に確立されているインターロイキン２受容体γ鎖遺伝子ノックアウトマウス系統を直接入手して用いてもよく、こうしたマウス系統として、例えば、ＩＬ２ＲγＫＯマウス系統（菅村和男教授［東北大学医学部生体防御学講座・免疫分野］より作出されたインターロイキン２受容体γ鎖ノックアウトマウス（Ｏｈｂｏ  Ｋ，  Ｓｕｄａ  Ｔ，  Ｈａｓｈｉｙａｍａ  Ｍら、Ｍｏｄｕｌａｔｉｏｎ  ｏｆ  ｈｅｍａｔｏｐｏｉｅｓｉｓ  ｉｎ  ｍｉｃｅ  ｗｉｔｈ  ａ  ｔｒｕｎｃａｔｅｄ  ｍｕｔａｎｔ  ｏｆ  ｔｈｅ  ｉｎｔｅｒｌｅｕｋｉｎ−２  ｒｅｃｅｐｔｏｒ  ｇａｍｍａ  ｃｈａｉｎ．  Ｂｌｏｏｄ  １９９６；８７（３）：９５６−６７））がある。尚、ＩＬ２ＲγＫＯマウスは、作出者である菅原教授の委嘱によって、現在は（財）実験動物中央研究所の胚保存バンクの中で保存されており、必要に応じていつでも凍結胚または融解復元マウスとして入手することができる。
【００１７】
さらに、ＡのマウスへのＢのマウスの戻し交配は、上記と同様に、当業者に公知の手法、例えば、上述の戻し交配に従い、すなわちＮＯＤ−ｓｃｉｄマウスとＩＬ２ＲγＫＯマウスとを交配し、そのＦ１マウスをＮＯＤ−ｓｃｉｄマウスに戻し交配することにより実施できる。
【００１８】
２．病態モデルマウスの作出
ＮＯＧマウスにヒト造血器腫瘍細胞を移植し、ＮＯＧマウスに生着させることにより、ヒト造血器腫瘍モデルマウスを作出することができる。
【００１９】
造血器腫瘍としては、多発性骨髄腫、リンパ腫、白血病、骨髄増殖性疾患等が挙げられ、これらの株化細胞、患者検体を用いることができる。ヒト多発性骨髄腫の株化細胞としては、Ｕ２６６細胞、ＲＰＭＩ８２２６、ＩＭ９，  ＨＳ−Ｓｕｌｔａｎが、ヒトリンパ腫の株化細胞としては、ＬＭ−２−ＪＣＫ細胞などが挙げられる。これらの細胞は、ＡＴＣＣ細胞バンク（米国）、ＪＣＲＢ細胞バンク（日本）から入手可能である。また、以下の方法により維持増殖させ、使用することもできる。
【００２０】
ＮＯＧマウスは既存の免疫不全マウスには生着しなかった細胞が生着する可能性が高く、骨髄腫、リンパ腫以外にも白血病、骨髄異形成症候群、骨髄増殖性疾患、自己免疫疾患などの患者検体（リンパ節、末梢血細胞、骨髄細胞など）を移入し、疾患モデルマウス作製ができると期待される。
【００２１】
これらの腫瘍のモデルマウスを作出するには、腫瘍細胞株をＮＯＧマウスに移植して生着させればよい。移植は細胞を生理食塩水等中に適当な密度で分散させ、皮下注射、静脈内注射等により行えばよく、細胞株に応じて適宜移植方法を選択することができる。
【００２２】
移植細胞数も、細胞株に応じて適宜選択できるが、マウス１匹当たり１０６〜１０７細胞を移植すればよい。
移植後数週間から数ヶ月で、細胞が生着し、ヒト造血器腫瘍が形成されマウスに体重減少、呼吸促迫、麻痺、立毛など諸症状が出現し、ヒト造血器腫瘍病態モデルマウスが確立される。
【００２３】
３．病態モデルマウスの利用
このようにして得られたヒト腫瘍モデルマウスを用いて、抗癌剤、癌転移抑制剤等のスクリーニングを行うことができる。この方法としては、腫瘍を形成したマウスに、経口、経皮等の適当な方法で候補薬剤を投与し、腫瘍の大きさ、転移巣の数・大きさ、マウスの生死等を観察することにより薬剤の効果を判定することができる。骨髄腫Ｕ２６６細胞を移植したＮＯＧマウスに抗がん剤ドキソルビシンを投与したところ、マウス血中に検出される移入した骨髄腫細胞由来のヒト免疫グロブリン量が約３割減少し、抗がん剤の効果判定に有効で、治療モデルとして応用可能であることが確認されている。
【００２４】
骨髄、脾臓へのヒト腫瘍細胞の浸潤はヒト腫瘍細胞を特異的に認識する抗体（抗ＣＤ４５抗体など）を用いてフローサイトメトリー法にて定量が可能。各臓器の病理組織標本により浸潤を合わせて確認することができる。また血中のヒト免疫グロブリンは、サンドイッチＥＬＩＳＡ法にて検出が可能である。
【００２５】
【実施例】
〔実施例１〕  ＮＫ活性を消失かつ、樹状細胞機能を減退させた免疫不全マウス（ＮＯＧマウス）の作製
ＮＫ活性を消失させた多機能免疫不全マウスを得るために、（財）実験動物中央研究所で維持しているＮＯＤ／Ｓｈｉ−ｓｃｉｄマウス（日本クレアＫ．Ｋ．からも入手可）（８週齢）に、菅村和夫教授（東北大学医学部生体防御学講座・免疫分野）より譲渡されたインターロイキン２受容体γ鎖ノックアウトマウス（ＩＬ−２ＲγＫＯマウス）（８週齢）を戻し交配することによって、ＩＬ−２Ｒγ変異遺伝子を導入したＦ１マウスを作製した。Ｆ１マウスでの変異ＩＬ−２Ｒγ鎖遺伝子の導入は、該遺伝子をＰＣＲで増幅して検出することにより確認した。具体的には、まずＦ１マウスの眼底より採取した血液１００μＬからＤＮＡ自動抽出機（ＭａｇＥｘｔｒａｃｔｏｒ、ＴＯＹＯＢＯ社製）によりＤＮＡを抽出した。このＤＮＡ１．５μＬに、２３．５μＬの１．５ｍＭ  ＭｇＣｌ２、０．４ｍＭ  ｄＮＴＰおよび２５ｐｍｏｌの２セットのプライマー（野生型の判定には下記プライマーＰＩとＰＩＩＩのセット、変異型を判定するには同ＰＩとＰＩＩのセットを用いた）を含むＰＣＲ緩衝液を添加し、ＩＬ−２Ｒγ鎖遺伝子の野生型と変異型とを判定するＰＣＲを下記増幅条件下で行った。
（プライマー）
ＰＩ：    ５’−ＣＴＧＣＴＣＡＧＡＡＴＧＡＴＧＣＣＴＣＣＡＡＴＴＣＣ−３’（配列番号１）
ＰＩＩ：    ５’−ＣＣＴＧＣＧＴＧＣＡＡＴＣＣＡＴＣＴＴＧＴＴＣＡＡＴ−３’（配列番号２）
ＰＩＩＩ：  ５’−ＧＡＴＣＣＡＧＡＴＴＧＣＣＡＡＧＧＴＧＡＧＴＡＧ−３’  （配列番号３）
（ＰＣＲ増幅条件）
９４℃で５分の加熱処理後、９４℃で１分，５５℃で１分，７２℃で１分を１サイクルとして３０〜３５サイクル実施し、その後７２℃で１０分加熱した。
【００２６】
上記ＰＣＲで得られたＰＣＲ産物を２％アガロースゲル中で電気泳動に供し、エチジウムブロミド染色後に検出される発色バンドのサイズで判定した。野生型では約６６０ｂｐ、変異型では約３５０ｂｐのサイズのバンドが認められた。
【００２７】
（戻し交配）
次に、この変異ＩＬ−２Ｒγ遺伝子を導入したＦ１マウスをＮＯＤ／Ｓｈｉ−ｓｃｉｄマウスと交配することによりＦ２マウスを得た。さらにＦ２マウスでの変異ＩＬ−２Ｒγ鎖遺伝子の導入を上記同様に検出し、かつ血清中の免疫グロブリンを単純免疫拡散法により検出することにより、変異ＩＬ−２Ｒγ鎖遺伝子を有し、かつｓｃｉｄ遺伝子がホモであるマウス個体を選別した。その後、上記マウス個体をＮＯＤ／Ｓｈｉ−ｓｃｉｄマウスに掛け合わせて、得られた産仔のうち変異ＩＬ−２Ｒγ鎖遺伝子を有するものをさらにＮＯＤ／Ｓｈｉ−ｓｃｉｄマウスと交配した。
【００２８】
以上の戻し交配を少なくとも９回行うことにより、ＮＯＧ（ＮＯＧ）マウスを作出した（概略を図１１に示す）。ここで、ＩＬ−２Ｒγ鎖遺伝子はＸ鎖染色体上にあるため、雄マウスにＩＬ−２ＲγＫＯマウスを使用することが有効である。
【００２９】
〔実施例２〕  ヒトＴ細胞リンパ腫ＬＭ−２−ＪＣＫ移植ＮＯＧマウスの作出
ＮＯＤ／Ｓｈｉ−ｓｃｉｄマウスおよびＮＯＧマウス（ＮＯＤ／Ｓｈｉ−ｓｃｉｄ，  ＩＬ−２Ｒγ  ＫＯ）は、実験動物中央研究所で交配したものを用いた。ＢＡＬＢ／ｃＡＪｃｌ−ｎｕマウスおよびＣ．Ｂ−１７／Ｉｃｒ−ｓｃｉｄマウスは日本クレアより入手した。マウスはすべて５週齢のものを用い、マウスは無菌条件下で飼育した。
【００３０】
ヒト腫瘍異種移植細胞株であるＬＭ−２−ＪＣＫは１３歳の男性患者のリンパ腫から確立され、ヌードマウスでの継代異種移植により維持されていた。ＬＭ−２−ＪＣＫは、ＡＴＣＣ細胞バンク（米国）、ＪＣＲＢ細胞バンク（日本）から入手可能である。ＬＭ−２−ＪＣＫは、Ｔ細胞抗原、ＣＤ４およびＣＤ５を発現しているが、免疫グロブリン等のＢ細胞抗原は発現していない（Ｍａｒｕｏ  ｅｔ  ａｌ．，  ＡＰＭＩＳ  １０１：  ３４５−３５２，  １９９３）。
【００３１】
ヌードマウスで継代移植していたＬＭ−２−ＪＣＫをヌードマウス皮下より切り取り、２００Ｕ／ｍＬのコラゲナーゼ（ＳＩＧＭＡ社）および２７０Ｕ／ｍＬのＤＮａｓａ（ＳＩＧＭＡ社）を含むＦ−１０栄養補足培地（ＧＩＢＣＯ社）中で鋏で細断し分散させ、ナイロンメッシュを通し、均一細胞懸濁液を調製した。懸濁液中の生細胞数は、トリパンブルー（ＧＩＢＣＯ    ＢＲＬ社）を用いた染色によりカウントした。遠心分離後腫瘍細胞を生理食塩水を用いて１×１０７および１×１０６生細胞／ｍＬの細胞密度に調整した。腫瘍細胞懸濁液を２５ゲージの針を用いてＮＯＧマウス（ＮＯＤ／Ｓｈｉ−ｓｃｉｄ，  ＩＬ−２Ｒγ  ＫＯ）、ＮＯＤ／Ｓｈｉ−ｓｃｉｄマウス、ＢＡＬＢ／ｃＡＪｃｌ−ｎｕマウスおよびＣ．Ｂ−１７／Ｉｃｒ−ｓｃｉｄマウスの両方の脇腹部分に０．１ｍＬ皮下注射した。注射した部位は、８から１０箇所であった。腫瘍細胞注入後、１週間に一度腫瘍サイズとマウスの体重を測定した。腫瘍が増殖した後、マウスを犠牲にし腫瘍の大きさを測定した。
表１に注射部位数と腫瘍が形成された部位数、および腫瘍の重量を示す。
【００３２】
【表１】
2004154058.tif 000002
【００３３】
図１に腫瘍の大きさの経時的変化を示す。図に示すように移植２１日後においてＮＯＤ／Ｓｈｉ−ｓｃｉｄマウスおよびＣ．Ｂ−１７／Ｉｃｒ−ｓｃｉｄマウスでは腫瘍の大きさはわずかであるが、ＮＯＧマウスでは大きく増殖している。
ＬＭ−２−ＪＣＫ細胞はＮＯＧマウスでＮＯＤ／Ｓｈｉ−ｓｃｉｄマウス、ＢＡＬＢ／ｃＡＪｃｌ−ｎｕマウスおよびＣ．Ｂ−１７／Ｉｃｒ−ｓｃｉｄマウスよりも早く増殖し高い生着率を示した。
【００３４】
〔実施例３〕  ヒト多発性骨髄腫Ｕ２６６細胞移植ＮＯＧマウスの作出
Ｕ２６６細胞株は、ＡＴＣＣ細胞バンク（米国）より入手した。２×１０６のＵ２６６細胞を２５０ｒａｄ放射線を照射したマウス（ＮＯＧマウス）、ＮＯＤ／Ｓｈｉ−ｓｃｉｄマウスおよびＣ．Ｂ−１７／Ｉｃｒ−ｓｃｉｄマウス１０匹ずつに静脈注射し移植した。
【００３５】
移植２週間後にＮＯＧマウスで後肢の麻痺、体重減少および立毛、呼吸促迫が認められた。組織学的検査により、腸骨および胸骨への骨髄への過剰な浸潤がＮＯＧマウスで認められたが、ＮＯＤ／Ｓｈｉ−ｓｃｉｄマウスおよびＣ．Ｂ−１７／Ｉｃｒ−ｓｃｉｄマウスでは認められなかった。ＮＯＧマウスにおいてはＵ２６６細胞の脊髄腔への浸潤および腸骨の広範囲な破壊が認められ、これが後肢の麻痺の原因であると推測された。細胞の浸潤は骨髄に限られ、肝臓、脾臓、肺などの他の器官には浸潤は認められなかった。Ｕ２６６細胞を移入したマウスの骨髄においては、ＦＡＣＳ解析により８０〜９０％の有核細胞がヒトＣＤ４５陽性であった。このことは、ほとんどの骨髄細胞がヒト骨髄腫細胞で置き換わっていることを示している。ヒトＩｇＥもＵ２６６細胞を移植したＮＯＧマウス５匹すべての血清中で検出された。このことは、マウス骨髄中のＵ２６６細胞はＩｇＥ分泌能を保持していることを示し、多発性骨髄腫の病態を反映する。
表２に各マウスにおけるＵ２６６細胞の移植性を示す。
【００３６】
【表２】
2004154058.tif 000003
【００３７】
表２に示すように、ＮＯＧマウスの骨髄でＵ２６６細胞の浸潤が認められたが、ＮＯＧマウスの脾臓、肝臓および肺ならびにＮＯＤ／Ｓｈｉ−ｓｃｉｄマウスおよびＣ．Ｂ−１７／Ｉｃｒ−ｓｃｉｄマウスの骨髄、脾臓、肝臓および肺では浸潤は認められなかった。
【００３８】
図２〜５にＵ２６６細胞を異種移植したＮＯＧマウスにおけるＵ２６６細胞の浸潤部位の写真を示す。図２および３の写真（それぞれ５．３倍および１２倍の拡大写真）が示すように、細胞は骨髄の骨髄間隙を占め、骨溶解作用をしめしており、筋肉組織周囲にも侵襲的に増殖していた。また、図４および５の写真（１００倍の拡大写真）が示すように、不定形のプラズマ細胞が骨髄の骨髄間隙を占めていた。
【００３９】
図６および７はＵ２６６細胞を異種移植したＮＯＤ／Ｓｈｉ−ｓｃｉｄマウスの骨髄を示す写真であり（それぞれ１２倍および１００倍の拡大写真）、写真に示すように骨髄中にＵ２６６細胞の浸潤部位は認められない。
【００４０】
図８および９はＵ２６６細胞を異種移植したＣ．Ｂ−１７／Ｉｃｒ−ｓｃｉｄマウスの骨髄を示す写真であり（それぞれ１２倍および１００倍の拡大写真）、写真に示すように骨髄中にＵ２６６細胞の浸潤部位は認められない。
【００４１】
図１０は、Ｕ２６６細胞を異種移植したＮＯＧマウスおよびＣ．Ｂ−１７／Ｉｃｒ−ｓｃｉｄマウスの脾臓を示す写真である。
図１０に示すように、脾臓においてはＮＯＧマウスでもＣ．Ｂ−１７／Ｉｃｒ−ｓｃｉｄマウスでもＵ２６６細胞の浸潤は認められない。
【００４２】
また、Ｕ２６６細胞を移植したＮＯＧマウスの寿命は約３週間であった。なお、ＮＯＧマウスに放射線照射をすることなく、Ｕ２６６細胞を移植しても骨髄中に生着することが確認されている。
【００４３】
【発明の効果】
実施例１に示したように、ＮＯＧマウスにＵ２６６細胞を移植した場合、拒絶されることなく骨髄に生着し、Ｕ２６６細胞が生着したＮＯＧマウスは、ヒト多発性骨髄腫のモデルとして利用することができ、ヒト多発性骨髄腫の病理の研究や新たな抗がん剤のスクリーニングに用いることができる。
【００４４】
また、実施例２に示したように、ＮＯＧマウスにリンパ腫細胞（ＬＭ−２−ＪＣＫ）を移植した場合、拒絶されることなく生着し、ＬＭ−２−ＪＣＫが生着したＮＯＧマウスはヒトリンパ腫のモデルとして利用することができ、ヒトリンパ腫の病理の研究や新たな抗がん剤のスクリーニングに用いることができる。
【００４５】
【配列表】
2004154058.tif 000004
2004154058.tif 000005
【図面の簡単な説明】
【図１】ＬＭ−２−ＪＣＫ細胞を移植したマウスにおける腫瘍の大きさの経時的変化を示す図である。
【図２】ＮＯＧマウスにおけるＵ２６６細胞の浸潤部位を示す写真（倍率５．３倍）である。
【図３】ＮＯＧマウスにおけるＵ２６６細胞の浸潤部位を示す写真（倍率１２倍）である。
【図４】ＮＯＧマウスにおけるＵ２６６細胞の浸潤部位を示す写真（倍率１００倍）である。
【図５】ＮＯＧマウスにおけるＵ２６６細胞の浸潤部位を示す写真（倍率１００倍）である。
【図６】Ｕ２６６細胞を移植したＮＯＤ／Ｓｈｉ−ｓｃｉｄマウスの骨髄を示す写真（倍率１２倍）である。
【図７】Ｕ２６６細胞を移植したＮＯＤ／Ｓｈｉ−ｓｃｉｄマウスの骨髄を示す写真（倍率１００倍）である。
【図８】Ｕ２６６細胞を移植したＣ．Ｂ−１７／Ｉｃｒ−ｓｃｉｄマウスの骨髄を示す写真（倍率１２倍）である。
【図９】Ｕ２６６細胞を移植したＣ．Ｂ−１７／Ｉｃｒ−ｓｃｉｄマウスの骨髄を示す写真（倍率１００倍）である。
【図１０】ＮＯＧマウスおよびＣ．Ｂ−１７／Ｉｃｒ−ｓｃｉｄマウスの脾臓を示す写真である。
【図１１】ＮＯＧマウスを作出するための戻し交配の概略を示す図である。
【図１】
2004154058.tif 000006
【図２】
2004154058.tif 000007
【図３】
2004154058.tif 000008
【図４】
2004154058.tif 000009
【図５】
2004154058.tif 000010
【図６】
2004154058.tif 000011
【図７】
2004154058.tif 000012
【図８】
2004154058.tif 000013
【図９】
2004154058.tif 000014
【図１０】
2004154058.tif 000015
【図１１】
2004154058.tif 000016